(57)【要約】【課題】本発明はタクシー 利用者にとっては位置情報を説明することなく配車予約が行え、到着時間の短いタクシーを効率良く選択できるようにするとともに、タクシー においては、利用者の位置を正確に把握することで配車の迅速化と乗車率の向上を図ることができるタクシー等の配車システムを得るにある。【解決手段】タクシーやハイヤー等の配車予約を行う配車システムであって、タクシーの現時点の位置を示す現在位置情報を取得する手段と、タクシー利用者の携帯端末から送信される利用者の現在位置情報等の割出要求を受信する手段と、前記利用者携帯端末の現在位置情報および前記タクシーの現在位置情報に基づいて、前記利用者の現在位置情報から所定の範囲内にあるタクシーの候補を割り出す手段と、照会結果として割り出したタクシーの現在位置情報を前記利用者携帯端末に送信する手段とでタクシー等の配車システムを構成している。【選択図】  図１
2006146544.tif 000002
【特許請求の範囲】
【請求項１】
タクシーやハイヤー等の配車予約を行う配車システムであって、タクシーの現時点の位置を示す現在位置情報を取得する手段と、タクシー利用者の携帯端末から送信される利用者の現在位置情報等の割出要求を受信する手段と、前記利用者携帯端末の現在位置情報および前記タクシーの現在位置情報に基づいて、前記利用者の現在位置情報から所定の範囲内にあるタクシーの候補を割り出す手段と、照会結果として割り出したタクシーの現在位置情報を前記利用者携帯端末に送信する手段とを備えていることを特徴とするタクシー等の配車システム。
【請求項２】
タクシーやハイヤー等の配車予約を行う配車システムであって、無線あるいは有線通信手段により相互に通信可能な利用者携帯端末、タクシー端末、および配車サーバを備えるとともに、前記利用者携帯端末は、現在位置情報を取得するための現在位置情報取得手段と、取得した現在位置情報を含む割出要求を前記配車サーバに送信する手段と、前記配車サーバから送信される照会結果を受信して表示する手段と、照会結果を基に、利用者が呼びたいタクシーを選択し、コンタクトを取る手段とを備え、前記タクシー端末は、現在位置情報を取得するための現在位置情報取得手段と、定期的あるいは常時前記現在位置情報を前記配車サーバに送信する手段と、利用者からのコンタクトを受け入れる手段とを備え、前記配車サーバは、複数台のタクシーのそれぞれから定期的あるいは常時送信されてくる現在位置情報を受信し、各タクシーの現在位置情報を管理する手段と、前記利用者携帯端末から送信される現在位置情報を含む割出要求を受信する手段と、前記利用者携帯端末の現在位置情報および前記タクシーの現在位置情報に基づいて、該利用者携帯端末の位置する場所から所定の距離内にあるタクシーを割り出す手段と、割り出したタクシーの現在位置情報を前記利用者携帯端末に送信する手段と、前記利用者携帯端末とタクシー端末からのコンタクト要求に対して、相互的にコンタクトを取らせる手段とを備えることを特徴とするタクシー等の配車システム。
【請求項３】
前記利用者携帯端末から前記タクシーに送信する割出要求には、利用者携帯端末から所定の範囲内にあるタクシー
にのみ送信することを特徴とする請求項１、２の何れかに記載のタクシー等の配車システム。
【請求項４】
前記タクシー端末は、前記配車指示を受信して表示する手段と、前記配車指示に対して配車可否の応答を行う手段とをさらに備えることを特徴とする請求項２に記載のタクシー等の配車システム。
【請求項５】
前記配車サーバは、地図情報や道路交通情報と連動し、利用者とタクシー
の位置情報から、適切な配車指示を自動的に行う手段を備えることを特徴とする請求項２に記載のタクシー等の配車システム。
【請求項６】
前記複数台のタクシーは同一のグループに所属するタクシーであることを特徴とする請求項１、２の何れかに記載のタクシー等の配車システム。
【請求項７】
前記配車サーバは、前記利用者携帯端末とタクシー端末からのコンタクト要求に対して、タクシー端末のメールアドレスや電話番号等のタクシー個別情報を該利用者携帯端末に送信する手段を備えることを特徴とする請求項２に記載のタクシー等の配車システム。
【請求項８】
タクシーやハイヤー等の配車予約を行う配車システムであって、無線通信手段により相互に通信可能な利用者携帯端末およびタクシー端末を備えるとともに、前記利用者携帯端末は、現在位置情報を取得するための現在位置情報取得手段と、取得した現在位置情報を含む割出要求を前記配車サーバに送信する手段と、前記配車サーバから送信される照会結果を受信して表示する手段と、照会結果を基に、利用者が呼びたいタクシーを選択し、コンタクトを取る手段とを備え、前記タクシー端末は、現在位置情報を取得し、管理する手段と、前記利用者携帯端末から送信される現在位置情報を含む割出要求を受信する手段と、前記利用者携帯端末の現在位置情報および前記タクシーの現在位置情報に基づいて、該利用者携帯端末の位置する場所から所定の距離内にあるタクシーの候補を割り出す手段と、割り出したタクシーの現在位置情報を前記利用者携帯端末に送信する手段と、前記利用者携帯端末からのコンタクト要求に対して、相互的にコンタクトを取らせる手段とを備えることを特徴とするタクシー等の配車システム。
【請求項９】
前記利用者携帯端末は、該利用者携帯端末から所定の範囲内にあるタクシー
と利用者の現在位置情報を、識別力のある状態で地図情報上に表示することを特徴とする請求項１、２、８の何れかに記載のタクシー等の配車システム。
【請求項１０】
該利用者携帯端末から所定の範囲を識別するための範囲マークを表示部に表示することを特徴とする請求項９に記載のタクシー等の配車システム。
【発明の詳細な説明】
【技術分野】
【０００１】
本発明は利用者が携帯端末を使用してタクシーやハイヤー等の予約や配車を行うタクシー等の配車システムに関する。
【背景技術】
【０００２】
従来のタクシー等の配車システムとして、それぞれのタクシーが所属する会社が、集中的に地図上に利用者の付近にある同社のタクシーのみを表示して、待ち時間を最短にするようなタクシーを選択できるようにするシステムや、タクシー
乗車希望者は、配車センタに電話で連絡して配車を受けるか、道端で空車がくるまで待ち続けることが多かった。
【０００３】
したがって、従来のタクシー 等の配車システムでは、複数のタクシー の位置や空車の状況を把握し、適切な配車を行う必要があるため、地域ごとに配車センタを設け、配車には人手を必要としているという欠点があった。また、利用者は自分がどこにいるかという位置情報を最寄りの配車センタに伝える必要があるが、利用者にとって不慣れな土地では、最寄りの配車センタを調べることや、自分の位置を正確に伝えるのは難しいという欠点があった。また、利用者にとって、タクシー
が近くにいるかどうかや、タクシー 到着までの時間等の情報を得るためには、配車センターの電話番号を調べる必要があったり、配車センターを経由した情報のやりとりのため、乗車場所や氏名など、間違いも発生するという欠点があった。
【特許文献１】特になし
【発明の開示】
【発明が解決しようとする課題】
【０００４】
本発明は以上のような従来の欠点に鑑み、タクシー 利用者およびタクシー間で、正確な位置情報およびその他の付帯情報を処理し、適切な配車をタクシー利用者およびタクシー間で行うことができるタクシー等の配車システムを提供することを目的とする。
また、タクシー 利用者にとっては位置情報を説明することなく配車予約が行え、到着時間の短いタクシー を効率良く選択できるようにするとともに、タクシー においては、利用者の位置を正確に把握することで配車の迅速化と乗車率の向上を図ることができるタクシー等の配車システムを提供することを目的とする。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はタクシーやハイヤー等の配車予約を行う配車システムであって、タクシーの現時点の位置を示す現在位置情報を取得する手段と、タクシー利用者の携帯端末から送信される利用者の現在位置情報等の割出要求を受信する手段と、前記利用者携帯端末の現在位置情報および前記タクシーの現在位置情報に基づいて、前記利用者の現在位置情報から所定の範囲内にあるタクシーの候補を割り出す手段と、照会結果として割り出したタクシーの現在位置情報を前記利用者携帯端末に送信する手段とでタクシー等の配車システムを構成している。
【発明の効果】
【０００７】
以下の説明から明らかなように、本発明にあっては次に列挙する効果が得られる。
【０００８】
（１）タクシーの現時点の位置を示す現在位置情報を取得する手段と、タクシー利用者の携帯端末から送信される利用者の現在位置情報等の割出要求を受信する手段と、前記利用者携帯端末の現在位置情報および前記タクシーの現在位置情報に基づいて、前記利用者の現在位置情報から所定の範囲内にあるタクシーの候補を割り出す手段と、照会結果として割り出したタクシーの現在位置情報を前記利用者携帯端末に送信する手段とを備えているので、利用者にとって、利用者の位置情報を口で説明することなく、携帯端末による近くにあるタクシーの照会や予約が可能となり、利便性を向上させることができる。
【０００９】
（２）前記（１）によって、タクシー側においては、利用者の位置を正確に把握することで配車の迅速化による乗車率の向上を図ることができる。
【００１０】
（３）前記（１）によって、利用者が視覚的にタクシー の運行状況を把握できる。
【００１１】
（４）前記（１）によって、利用者の現在位置を基準にして、処置の範囲内にあるタクシーだけを表示することができるので、余計な情報を省き、必要な情報だけを確実に得ることができる。
【００１２】
（５）請求項３〜１０も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、図１は、本発明の実施の形態であるタクシーＴやハイヤー等の配車システム全体の構成図である。図１に示すように、本配車システムは、利用者が所持する携帯電話機、ＰＤＡ、モバイルコンピュータ等の利用者携帯端末１と、タクシーＴの運転席の近傍部位に設けられたタクシー端末２と、前記利用者携帯端末１と前記タクシー端末２が、無線あるいは有線の通信網Ｘを介して任意に接続する配車センタ３とを備えている。
【００１５】
前記配車センタ３は、前記利用者携帯端末１と前記タクシー端末２の位置を表す位置情報を管理し、それらの位置情報を地図上に図示するための地図情報データベース４を有している。なお、地図情報は、一般的に市販されている地図情報、地図情報を情報提供機関からの地図情報等も適宜に利用できる。
【００１６】
図２は、前記利用者携帯端末１とタクシー端末２の構成図である。前記利用者携帯端末１とタクシー端末２は、表示部５、操作部６、位置情報取得手段７としての装置、端末制御部８および通信制御部９等を備える。本実施例では、前記利用者携帯端末１は、通信網Ｘを介してインターネットをすることができ、ＧＰＳ機能を備えた携帯電話機、ＰＤＡ、モバイルパーソナルコンピュータ等の情報端末機で、前記タクシー携帯端末２は、ＧＰＳ機能を備えた携帯電話機、カーナビゲーション装置等の情報端末機である。
なお、前記利用者携帯端末１およびタクシー端末２は、ＰＤＡ、携帯電話機、ＰＨＳ、パーソナルコンピュータ等に、ソフトウエアや装置を実装したものでもよい。
【００１７】
前記利用者携帯端末１の表示部５は、液晶パネル等で構成され、操作方法の表示、割出要求および予約要求の入力画面表示、照会結果および予約結果の表示等を行う。
【００１８】
前記タクシー端末２には、図２に示すように、表示部１０、操作部１１等が従来と同様に設けられている。前記表示部１０は、液晶パネルなどで構成され、空車・回送等のタクシーの現在の状況の表示、タクシー利用者位置およびタクシー位置の表示、所定範囲の枠の表示、道路情報や各種タクシーの運行上必要な情報の入力画面の表示、照会結果の表示等を行う。位置情報取得装置（ＧＰＳ）１２は、ＧＰＳ信号を使用して、前記利用者携帯端末１あるいはタクシー端末２の現在位置を確定する。通信制御部１３は、前記利用者携帯端末１およびタクシー端末２から通信網Ｘを介して配車センタ３へ接続する際の制御および情報の送受信の制御を行う。端末制御部１４は、前記タクシー端末２の処理作業を制御する。
【００１９】
前記タクシー端末２は、一定時間毎あるいは常時、ＧＰＳ信号から取得した位置情報、および空車や回送等のタクシーＴの状態を、前記配車センタ３に送信する機能を有し、該配車センタ３は、タクシーＴの位置情報を基にして、タクシーＴの現在位置や現況を常時管理、把握することができる。
なお、前記タクシー端末２は、前記配車センタ３を介して、あるいは通信網Ｘを介して、任意に天候や道路交通情報等を取得して表示することもできる。
【００２０】
図３は、配車センタ３の概略構成図である。この配車センタ３は、概略的には、ネットワーク制御装置１５と配車サーバ１６から構成される。
前記ネットワーク制御装置１５は、通信機能を有しており、通信網Ｘを介して、前記利用者携帯端末１や前記タクシー端末２と前記配車サーバ１６とを接続することができる。
前記配車サーバ１６は、利用者要求処理システム１７、タクシー割出システム１８、配車システム１９および経路探索システム２０等を備え、これらのシステム、タクシー情報および関連情報を記憶する記憶媒体２１を備える。
【００２１】
前記配車サーバ１６は、ソフトウエア等によって構成される。前記利用者要求処理システム１７は、利用者からの要求を処理するシステムである。前記タクシー割出システム１８は、前記利用者携帯端末１の位置情報および前記タクシーＴの位置情報に基づいて、該利用者携帯端末の位置する場所から所定の距離内にあるタクシーを割り出すシステムである。前記配車システム１９は、前記利用者携帯端末１やタクシー端末２に対して配車情報の送受信を行うシステムである。前記経路探索システム２０は、前記利用者要求処理システム１７や配車システム１９と連携し、タクシー情報、関連情報等を基にして、到着時間や最短ルート等の算出処理を行うシステムである。
【００２２】
次に、タクシー利用者が本配車システムを使用してタクシーＴの配車をする手順を説明する。図４は、利用者による本配車システム利用時のフロー図を示す。
【００２３】
まず、タクシー端末２は、タクシーの位置情報やタクシーＴの状態等を定期的あるいは常時配車センタに送信する（Ｓ１）。これにより配車センタ３は、タクシーＴの状態を常に把握している。
【００２４】
利用者は、本配車システムを使用して空車のタクシーを探す場合、利用者携帯端末１を用いて、通信網Xを介して配車センタ３に接続し、割出要求を送信する（Ｓ２）。この割出要求には、ＧＰＳ信号から取得した位置情報等の付帯情報が含まれている。
配車センタ３に接続する方法は、例えば、アドレスを直接入力、関連サイトからのジャンプ、二次元バーコード等からの接続等があり、利用者は任意に接続方法を選択することができる。
【００２５】
割出要求を受信した配車センタ３は、地図情報データベース４にアクセスし（Ｓ３）、モニターしているタクシーＴの位置情報と、利用者携帯端末１から送信された位置情報から、タクシー割出システム１８を介して利用者の現在位置から所定の距離、本実施例では２キロメートルの範囲内を走行中のタクシーＴの割り出しを行う（Ｓ４）。配車センタ３は、範囲内にある複数台のタクシーＴの位置等の割出に対する回答を、利用者携帯端末１に対して送信する（Ｓ５）。この場合、図５に示すような位置表示画面２２に、該利用者携帯端末１から所定の範囲内、本実施例では２キロメートル内にあるタクシー
と利用者の現在位置情報を、点形状の位置マーク２３で地図情報上に表示するとともに、２キロメートルを識別するための枠形状の範囲マーク２４で表示する。点形状の位置マーク２３は、タクシーＴ
と利用者の現在位置を識別するために、色を変えたり、マークの形状を変えて表示する。例えば、本実施例ではタクシーＴを丸形状の位置マーク２３、利用者は三角形状の位置マーク２３で表示している。また、図６に示すような位置表示画面２５を表示して、該位置マーク２３内には、それぞれ個別番号２７を振る処理をしてもよい。この場合、利用者の位置から、近い順に該個別番号２７を付与するように処理をしてもよい。また、タクシーＴの状況を空車や実車に区別して、例えば色別にして視認性を良くして表示する。
【００２６】
利用者携帯端末１では、図７に示すように、配車センタ３より受信した割出結果を、すなわち前記位置表示画面２２、２５を、利用者携帯端末１の表示部５に表示する。利用者は、表示された位置マーク２３の利用可能なタクシーＴのうち、利用したいタクシーＴの個別番号２７を選択することで、該当するタクシーＴのタクシー端末２のメールアドレスや電話番号等のタクシー個別情報２８を該利用者携帯端末１の表示部５に表示される（Ｓ６）。この時、図８に示すように、操作部６を所定の操作をすることにより、選択可能なタクシー個別情報２８が反転する。
タクシーＴが選択された場合、利用者携帯端末１は、配車センタ３を介して該当するタクシーＴに対して予約要求の送信を行う（Ｓ７）。この時、利用者は、該当するタクシーＴのタクシー端末２のメールアドレスや電話番号等のタクシー個別情報２８を得ているので、選択したタクシーＴに直接連絡することができる（Ｓ８）。
【００２７】
予約要求を受信した配車センタ３は、割出結果から利用者によって選択されたタクシーＴに設けられたタクシー端末２に対して、配車指示の送信を行う（Ｓ９）。配車指示には、利用者の位置情報、地図情報データベース４から作成した利用者付近の地図画像が含まれる。配車指示を受信したタクシー端末２は、表示部１０に配車予約があった旨のメッセージと、利用者付近の地図画像と付帯情報の表示を行う。
【００２８】
一方、配車センタ３は、配車指示の送信と同時に、利用者携帯端末１に対して予約結果の送信を行う（Ｓ１０）。予約結果を受信した利用者携帯端末１は、表示部５に、予約が完了した旨のメッセージとともに、例えば、予約したタクシーの到着までの時間等の情報の表示を行うことができる。また、必要であれば、利用者携帯端末１は、予約したタクシーＴの現在位置を表示することもできる（Ｓ１１）。
【００２９】
配車の依頼を受けたタクシーＴは、利用者の位置情報などを元に、利用者の位置に移動し、サービスを提供する（Ｓ１２）。
【００３０】
次に、利用者携帯端末１と配車システム３の処理を図９に示すようなフロー図で説明する。
利用者携帯端末１は、アクセスした照会画面を表示し（Ｓ１３）、照会条件の入力を受け付ける（Ｓ１４）。利用者の氏名等が入力されると、利用者携帯端末１は、配車センタ３に照会条件と共に割出要求を送信する（Ｓ１５）。配車センタ３のタクシー割出システム１８は、利用者携帯端末１からの割出要求を受信する（Ｓ１６）と、タクシー情報の取得を行う。その後、タクシー割出システム１８を介して、割出条件に含まれる利用者携帯端末１の位置と、取得したタクシー端末２の位置情報を比較し、利用者から２キロメートルの範囲内の利用可能なタクシーＴの割出しを行う（Ｓ１７）。
【００３１】
さらに、選択されたタクシーＴの割出結果を、利用者携帯端末１に送信する（Ｓ１８）。利用者携帯端末１はその割出結果を受信し（Ｓ１９）、表示部に利用者の現在位置より２キロメートル内にいるタクシーを位置表示画面２２あるいは２５を用いて表示部５に表示する（Ｓ２０）。割出結果から、利用候補タクシーがあるかどうかのチェックを行う（Ｓ２１）。利用者が利用可能なタクシーＴがある場合は、配車サーバ１６を介して予約画面を表示し（Ｓ２２）、利用可能なタクシーが無い場合は、最初の画面に戻る（Ｓ２３）。
また、該当するタクシーＴのタクシー端末２のメールアドレスや電話番号等のタクシー個別情報２８を得て、直接タクシーＴに連絡した場合には、直接交渉することができる（Ｓ２４）。
【００３２】
なお、車の現在位置を示す位置情報は、本実施例では、ＧＰＳを使用してえるものについて説明したが、本発明はこれに限らず、携帯電話機の通信網を介して得られる位置情報でもよい。
【００３３】
また、利用者の情報として、利用者の希望乗車場所、乗車希望時間、行き先、人数、運賃支払方法に関する情報等を、タクシーを呼び出す前に所定の操作により入力画面を表示させ、希望条件等を設定できるように処理をすることもできる。
【００３４】
さらに、本実施例では、表示部に表示される、所定の範囲を２キロメートルにして説明しているが、本発明はこれに限らず、数百メートル単位、地図情報の縮小や拡大に合わせて表示する範囲を調整するようにしてもよい。
［発明を実施するための異なる形態］
【００３５】
次に、図１０ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００３６】
図１０および図１１に示す本発明を実施するための第２の形態において、前記本発明を実施するための最良の第１の形態と主に異なる点は、前記配車サーバ１６の利用者要求処理システム１７、タクシー割出システム１８、配車システム１９および経路探索システム２０等のソフトウエア、このソフトウエアを実行する制御部、および関連するデータを記憶する記憶媒体２１Ａを内蔵したタクシー端末２Ａを用いた点で、このような配車システムにしても、前記本発明を実施するための最良の第１の形態と同様な作用効果が得られるとともに、個人タクシーやタクシー台数が少ないタクシー会社でも、効率よくタクシー業務を行うことができる。
なお、本実施例では、前記利用者携帯端末１と前記タクシー端末２Ａの位置を表す位置情報を表示部５、１０上に図示するための地図情報データベース４を有しているが、本発明はこれに限らす、一般的に市販されている地図情報、情報提供機関から通信網Ｘを介して取得する地図情報等も適宜に利用することができる。
【００３７】
図１２および図１３に示す本発明を実施するための第３の形態において、前記本発明を実施するための最良の第１の形態と主に異なる点は、特定のグループあるいは特定の個別のタクシーＴのタクシー端末２に、通信網Ｘを介して接続することできる利用者携帯端末としての無線機１Ａを用いた点で、このような配車システムにしても前記本発明を実施するための最良の第１の形態と同様な作用効果が得られるとともに、前記無線機１Ａは特定のグループあるいは特定の個別のタクシーＴのタクシー端末２に対しての無線、デジタル無線等を介する専用端末なので、シンプルな構造でコストを低減でき、また、会社の営業ツールとして利用者に配布あるいは販売して、タクシーの利用者数を効率よく増加させることができる。
なお、前記無線機１Ａおよびタクシー端末２の位置情報は、タクシーＴに搭載されている位置情報取得装置等と連帯して取得することができる。
また、前記タクシーＴは、前記無線機１Ａと同様の無線機２９を該タクシーＴ内に装備していてもよい。
【００３８】
図１４および図１５に示す本発明を実施するための第４の形態において、前記本発明を実施するための最良の第１の形態と主に異なる点は、前記利用者携帯端末１に接続することができる、前記配車センタ３に接続するための、例えば、サイトアドレス、メールアドレス、電話番号、ＦＡＸ番号等の接続情報３０をメモリや記憶媒体等の記録部３１に収納する接続装置３２を用いた点、このような配車システムにしても、前記本発明を実施するための第１の形態と同様な作用効果が得られるとともに、利用者は、前記利用者携帯端末１の操作部６、あるいは前記接続装置３２の操作部３３を介して所定の操作により、前記配車センタ３に通チン網Ｘを介して接続することができる。
なお、本実施例では、前記接続情報３０は、配車センタ３に関する情報のみ記録されているものについて説明したが、本発明はこれに限らず、前記タクシーＴの所属する会社、該タクシーＴの個別情報２８等が記憶されていてよく、前記接続情報３０は、利用者がデータの更新をすることもでき、また、通信網Ｘを介して前記配車センタ３あるいはタクシーＴに接続した場合、必要に応じて更新されてもよい。
【００３９】
なお、前記本発明の異なる実施の形態では主に第１の実施の形態を基にして説明したが、本発明はこれに限らず、各実施の形態に使用された構成を組み合わせて使用しても同様な作用効果が得られる。
【産業上の利用可能性】
【００４０】
本発明は配車システムを開発、運営、管理する産業で利用される。
【図面の簡単な説明】
【００４１】
【図１】本発明を実施するための最良の第１の形態の概略構成図。
【図２】本発明を実施するための最良の第１の形態の利用者携帯端末とタクシー端末の構成図。
【図３】本発明を実施するための最良の第１の形態の配車センタの概略構成図。
【図４】本発明を実施するための最良の第１の形態のフロー図。
【図５】本発明を実施するための最良の第１の形態のタクシー端末の表示の説明図。
【図６】本発明を実施するための最良の第１の形態のタクシー端末の異なる表示の説明図。
【図７】本発明を実施するための最良の第１の形態の利用者携帯端末の表示の説明図。
【図８】本発明を実施するための最良の第１の形態の利用者携帯端末の異なる表示の説明図。
【図９】本発明を実施するための最良の第１の形態のフロー図。
【図１０】本発明を実施するための第２の形態の概略構成図。
【図１１】本発明を実施するための第２の形態の利用者携帯端末とタクシー端末の構成図。
【図１２】本発明を実施するための第３の形態の概略構成図。
【図１３】本発明を実施するための第３の形態の無線機とタクシー端末の構成図。
【図１４】本発明を実施するための第４の形態の概略構成図。
【図１５】本発明を実施するための第４の形態の利用者携帯端末の構成図。
【符号の説明】
【００４２】
１：利用者携帯端末、                ２：タクシー端末、
３：配車センタ、                    ４：地図情報データベース、
５：表示部、                        ６：操作部、
７：位置情報取得手段、              ８：端末制御部、
９：通信制御部、                    １０：表示部、
１１：操作部、                      １２：位置情報取得装置、
１３：通信制御部、                  １４：端末制御部、
１５：ネットワーク制御装置、        １６：配車サーバ、
１７：利用者要求処理システム、      １８：タクシー割出システム、
１９：配車システム、                ２０：経路探索システム、
２１：記憶媒体、                    ２２：位置表示画面、
２３：位置マーク、                  ２４：範囲マーク、
２５：位置表示画面、                ２７：個別番号、
２８：タクシー個別情報、            ２９：無線機
３０：接続情報、                    ３１：記録部、
３２：接続装置、                    ３３：操作部、
Ｔ：タクシー、                      Ｘ：通信網。
【図１】
2006146544.tif 000003
【図２】
2006146544.tif 000004
【図３】
2006146544.tif 000005
【図４】
2006146544.tif 000006
【図５】
2006146544.tif 000007
【図６】
2006146544.tif 000008
【図７】
2006146544.tif 000009
【図８】
2006146544.tif 000010
【図９】
2006146544.tif 000011
【図１０】
2006146544.tif 000012
【図１１】
2006146544.tif 000013
【図１２】
2006146544.tif 000014
【図１３】
2006146544.tif 000015
【図１４】
2006146544.tif 000016
【図１５】
2006146544.tif 000017